(57)【要約】  様々なサイズ及び形状の荷物を運搬するための回転式ブラケットアセンブリである。回転式ブラケットアセンブリは、少なくとも一つの基部アセンブリを有する。基部アセンブリはスキッドの下側の少なくとも一部と係合するように適合されており、且つ運搬対象の荷物を移動するために適合されている車輪アセンブリを備えている。ブラケットアセンブリはまた、細長コネクタによって接続された二つの基部アセンブリを備えてもよい。
2009502631.tif 000002
【特許請求の範囲】
【請求項１】
回転式ブラケットアセンブリであって、
底面を有し且つ内部スロットを画成する基部アセンブリと、内部スロットはスキッドの下側の少なくとも一部と係合するように適合されており；
車輪アセンブリであって、車輪アセンブリの少なくとも一部が基部アセンブリの底面によって形成される面の下方で延在するように、基部アセンブリの少なくとも一部に取り付けられた車輪アセンブリとを；備える回転式ブラケットアセンブリ。
【請求項２】
基部アセンブリは第１基部アセンブリと第２基部アセンブリとを備え、
回転式ブラケットアセンブリはさらに、第１端と第２端とを有する細長コネクタを備え、細長コネクタの第１端は第１基部アセンブリに接続され、細長コネクタの第２端は第２基部アセンブリに接続されている請求項１に記載の回転式ブラケットアセンブリ。
【請求項３】
細長コネクタは、第１細長部と第２細長部とを備え、第１細長部及び第２細長部は各々が近接端と遠位端とを備えており、
第１細長部の近接端は第１基部アセンブリに接続され、第２細長部の近接端は第２基部アセンブリに接続されており、
第１細長部は第２細長部と実質的に同軸状であり、第１及び第２細長部のそれぞれの遠位端は実質的に重なり合うように位置付けられている、請求項２に記載の回転式ブラケットアセンブリ。
【請求項４】
第１細長部は管状のスリーブ部材を備え、第２細長部はロッド部材を備えており、ロッド部材のサイズは、管状のスリーブ部材の遠位端に対して相補的且つスライド可能に係合するように設定されている請求項３に記載の回転式ブラケットアセンブリ。
【請求項５】
さらに、第１細長部の一部を第２細長部の一部に固定するための手段を備える請求項３に記載の回転式ブラケットアセンブリ。
【請求項６】
第１細長部の一部が第２細長部の一部にリリース可能に固定されている請求項３に記載の回転式ブラケットアセンブリ。
【請求項７】
基部アセンブリは実質的にＵ字型の形状であり、且つ基部と、基部から外側に向かって延在し且つ間隔を置いて配置された二つの隔離した脚部とを有する請求項１に記載の回転式ブラケットアセンブリ。
【請求項８】
二つの隔離した脚部は互いに実質的に平行に向きが付けられている請求項７に記載の回転式ブラケットアセンブリ。
【請求項９】
二つの隔離した脚部は所定距離を置いて離間されており、所定距離は約１．２７センチから約１７．７８センチの間の範囲である請求項８に記載の回転式ブラケットアセンブリ。
【請求項１０】
所定距離は約３．８１センチである請求項９に記載の回転式ブラケットアセンブリ。
【請求項１１】
所定距離はストックランバーの寸法と略同じである請求項９に記載の回転式ブラケットアセンブリ。
【請求項１２】
所定距離を調整するための手段をさらに備える請求項９に記載の回転式ブラケットアセンブリ。
【請求項１３】
基部アセンブリの内部スロットは、スキッドの下側の少なくとも一部と摩擦的に係合するように構成され且つ配置されている請求項１に記載の回転式ブラケットアセンブリ。
【請求項１４】
車輪アセンブリは、基部アセンブリの底面の少なくとも一部に取り付けられている請求項１に記載の回転式ブラケットアセンブリ。
【請求項１５】
車輪アセンブリは、基部アセンブリの底面の少なくとも一部に旋回可能に取り付けられている請求項１４に記載の回転式ブラケットアセンブリ。
【請求項１６】
車輪アセンブリは、基部アセンブリの少なくとも一部にリリース可能に取り付けられている請求項１に記載の回転式ブラケットアセンブリ。
【請求項１７】
内部スロットは実質的に水平である請求項１に記載の回転式ブラケットアセンブリ。
【請求項１８】
回転式ブラケットアセンブリであって、
第１基部アセンブリ及び第２基部アセンブリと、第１及び第２基部アセンブリは各々が基部と、基部から外側に向かって延在する二つの隔離した脚部とを備えており、基部と二つの隔離した脚部は、スキッドの下側の少なくとも一部と係合するように適合されたスロットを画定し、基部アセンブリの二つの脚部のうちの一つの脚部は底面を形成し；
第１端と第２端とを有する細長コネクタと、細長コネクタの第１端は第１基部アセンブリに取り付けられ、細長コネクタの第２端は第２基部アセンブリに取り付けられており；
車輪アセンブリであって、車輪アセンブリの少なくとも一部が基部アセンブリの底面によって形成される面の下方で延在するように、各基部アセンブリの底面の少なくとも一部に取り付けられた車輪アセンブリとを；備える回転式ブラケットアセンブリ。
【請求項１９】
細長コネクタは、その長さを変えるための手段を備える請求項１８に記載の回転式ブラケットアセンブリ。
【請求項２０】
基部アセンブリのスロットは、スキッドの下側の少なくとも一部と摩擦的に係合するように構成され且つ配置されている請求項１８に記載の回転式ブラケットアセンブリ。
【請求項２１】
第１及び第２基部アセンブリの各々の底面の一部には車輪アセンブリが少なくとも一つ旋回可能に取り付けられている請求項１８に記載の回転式ブラケットアセンブリ。
【請求項２２】
二つの隔離した脚部は互いに実質的に平行に向きが付けられている請求項１８に記載の回転式ブラケットアセンブリ。
【請求項２３】
第１及び第２基部アセンブリの各々はＵ字形の断面形状を有する請求項１８に記載の回転式ブラケットアセンブリ。
【請求項２４】
第１及び第２基部アセンブリは互いに対向している請求項１８に記載の回転式ブラケットアセンブリ。
【請求項２５】
下方に突出する部材を少なくとも一つ有する荷物を運搬するための回転式ブラケットアセンブリであって、
底面を有する基部アセンブリと；
Ｌ字形状の第１顎部材及びＬ字形状の第２顎部材と、第１及び第２顎部材の各々は薄長の本体部と脚部とを備え、第１顎部材と第２顎部材は各々、第１顎部材の旋回軸と第２顎部材の旋回軸とが実質的に平行になるように、基部の少なくとも一部に旋回可能に取り付けられており、第１顎部材の脚部は第２顎部材の脚部に実質的に対向し、第１顎部材の旋回軸及び第２顎部材の旋回軸は、使用時に、第１及び第２顎部材が旋回して各々の薄長の本体部を互いに向かって移動させるように所定距離を置いて離間されて、第１及び第２顎部材の各々の薄長の本体部の一部が荷物の下方に突出する部材の一部と摩擦的に係合するように適合されており；
車輪アセンブリであって、車輪アセンブリの少なくとも一部が基部アセンブリの底面によって形成される面の下方で延在するように、基部アセンブリの少なくとも一部に取り付けられた車輪アセンブリとを；備える回転式ブラケットアセンブリ。
【請求項２６】
基部アセンブリは第１基部アセンブリと第２基部アセンブリとを備え、
回転式ブラケットアセンブリはさらに、第１端と第２端とを有する細長コネクタを備え、細長コネクタの第１端は第１基部アセンブリに接続され、細長コネクタの第２端は第２基部アセンブリに接続されている請求項２５に記載の回転式ブラケットアセンブリ。
【請求項２７】
細長コネクタは、第１細長部と第２細長部とを備え、第１細長部及び第２細長部は各々が近接端と遠位端とを備えており、
第１細長部の近接端は第１基部アセンブリに接続され、第２細長部の近接端は第２基部アセンブリに接続されており、
第１細長部は第２細長部と実質的に同軸状であり、第１及び第２細長部のそれぞれの遠位端は実質的に重なり合うように位置付けられている、請求項２６に記載の回転式ブラケットアセンブリ。
【請求項２８】
第１細長部は管状のスリーブ部材を備え、第２細長部はロッド部材を備えており、ロッド部材のサイズは、管状のスリーブ部材の遠位端に対して相補的且つスライド可能に係合するように設定されている請求項２７に記載の回転式ブラケットアセンブリ。
【請求項２９】
第１細長部の一部を第２細長部の一部に固定するための手段をさらに備える請求項２７に記載の回転式ブラケットアセンブリ。
【請求項３０】
第１細長部の一部が第２細長部の一部にリリース可能に固定されている請求項２７に記載の回転式ブラケットアセンブリ。
【請求項３１】
下方に突出する部材を少なくとも一つ有する荷物を運搬するための回転式ブラケットアセンブリであって、
上面、底面及び第１側方部材を有する基部アセンブリと、第１側方部材は上面から上向きに離れるよう且つ上面と実質的に直角に延在しており；
基部アセンブリに連結され且つ第１側方部材に実質的に平行に位置付けられた第２側方部材と、第１及び第２側方部材は荷物の下向きに突出する部材と係合するように適合されており；
車輪アセンブリであって、車輪アセンブリの少なくとも一部が基部アセンブリの底面によって形成される面の下方で延在するように、基部アセンブリの少なくとも一部に取り付けられた車輪アセンブリとを；備える回転式ブラケットアセンブリ。
【請求項３２】
車輪アセンブリは、基部アセンブリの底面の少なくとも一部に旋回可能に取り付けられている請求項３１に記載の回転式ブラケットアセンブリ。
【請求項３３】
車輪アセンブリは、基部アセンブリの少なくとも一部にリリース可能に接続されている請求項３１に記載の回転式ブラケットアセンブリ。
【請求項３４】
第２側方部材は基部の上面に沿って第１側方部材に対してスライド可能に可動となるように、基部の一部とスライド可能に接続されている請求項３１に記載の回転式ブラケットアセンブリ。
【請求項３５】
第２側方部材は、第１側方部材に関して固定されるために、基部に固定可能である請求項３４に記載の回転式ブラケットアセンブリ。
【請求項３６】
基部アセンブリは第１基部アセンブリと第２基部アセンブリとを備え、
回転式ブラケットアセンブリはさらに、第１端と第２端とを有する細長コネクタを備え、細長コネクタの第１端は第１基部アセンブリに接続され、細長コネクタの第２端は第２基部アセンブリに接続されている請求項３１に記載の回転式ブラケットアセンブリ。
【請求項３７】
細長コネクタは、第１細長部と第２細長部とを備え、第１細長部及び第２細長部は各々が近接端と遠位端とを備えており、
第１細長部の近接端は第１基部アセンブリに接続され、第２細長部の近接端は第２基部アセンブリに接続されており、
第１細長部は第２細長部と実質的に同軸状であり、第１及び第２細長部のそれぞれの遠位端は実質的に重なり合うように位置付けられている請求項３６に記載の回転式ブラケットアセンブリ。
【請求項３８】
第１細長部は管状のスリーブ部材を備え、第２細長部はロッド部材を備えており、ロッド部材のサイズは、管状のスリーブ部材の遠位端に対して相補的且つスライド可能に係合するように設定されている請求項３７に記載の回転式ブラケットアセンブリ。
【請求項３９】
第１細長部の一部を第２細長部の一部に固定するための手段をさらに備える請求項３７に記載の回転式ブラケットアセンブリ。
【請求項４０】
第１細長部の一部が第２細長部の一部にリリース可能に固定されている請求項３７に記載の回転式ブラケットアセンブリ。
【発明の詳細な説明】
【技術分野】
【０００１】
本発明は回転式ブラケットシステム（持ち送りシステム）に関する。より具体的には、本発明は多様な設備、貨物、嵩張る又は重い品物に適合出来る、調整可能な回転式ブラケットシステムに関する。
【発明の開示】
【０００２】
本発明の好ましい実施形態の特徴は、添付された図面を参照した詳細な説明において、より明らかになるであろう。
【０００３】
本発明の品物、装置、アセンブリ及び／又は方法を開示し説明する前に、本発明はそうではないと具体的に記載されていない限りは、開示された具体的な品物、装置、アセンブリ及び／又は方法に限定されるものではないこと、及び変更を無論加え得ることが理解されるべきである。さらに、本文中で使用される用語は特定の実施形態を記載する目的のみに使用されており、本発明を限定することを意図していないことが理解されるべきである。
【０００４】
本文中で使用されている単数形「ａ」、「ａｎ」及び「ｔｈｅ」は、文脈が明らかにそうではないと示していない限りは、複数形を含む。実施形態は図面を参照して説明され、図面では全般にわたって同様の符号は同様の部分を示している。
【０００５】
本文中で範囲が「約（ａｂｏｕｔ）」一つの特定の値から、及び／又は「約」別の特定の値までの範囲として示されることがある。そのような範囲が示された場合には、別の実施形態はその一つの具体的な値から及び／又はその別の具体的な値までを含む。同様に、値が「約」の先行詞を用いて近似値で示されている場合には、特定の値は別の実施形態を形成することが理解されるであろう。さらに、これら範囲のそれぞれの端点値は、他方の端点値との関係において及び他方の端点とは独立して有意であることが理解されるであろう。
【０００６】
本発明は、様々な大きさ及び形状の貨物を運搬するために使用される回転式ブラケットアセンブリ１０である。一つの態様において、回転式ブラケットアセンブリ１０は、底面１１０を有し且つ内部スロット１２０を画定する基部アセンブリ１００を備えている。内部スロット１２０は荷物台（スキッド）の下側の少なくとも一部と係合するように適合されている。用語「スキッド」は当技術分野で良く知られており、物体の取り扱い及び移動のために物体がその上に置かれる台（プラットフォーム）であってよい。当業者に知られているであろうように、スキッドは様々な様式で構成されてよく、様々な材料を含んでよい。例えば、スキッドは鉄、スチール、木材、又はプラスチックを含んでよいが、これに限定されることを意図していない。
【０００７】
一つの態様において、基部アセンブリ１００は断面形状が実質的にＵ字型であり、基部１３０と、間隔を置いて配置され且つ基部１３０から外側に向かって延在する二つの隔離した脚部１４０とを有する。この実施形態において、基部と二つの隔離した脚部１４０は、スキッドの下側の少なくとも一部と係合するように適合された内部スロット１２０を画定する。二つの隔離した脚部は、基部アセンブリ１００の一方の脚部が底面１１０を形成するように、互いに対して実質的に平行に向きが付けられている。
【０００８】
二つの隔離した脚部１４０間の距離Ｌは、作業者が運搬を所望する荷物の寸法によって決めることが出来る。一つの態様において、距離Ｌは約１．２７センチ（約１／２インチ）から約１７．７８センチ（約７インチ）の間の範囲である。別の態様において、距離Ｌは約３．８１センチ（約１．５インチ）である。さらに別の様態において、距離Ｌは製材された木材（ストックランバー）の寸法と略同じである。スキッドは慣習的に、一般的な木材サイズを用いて作られる。二つの隔離した脚部１４０間の距離Ｌは、しかるべくサイズが決められるであろう。
【０００９】
加えて、基部アセンブリ１００の内部スロット１２０はまた、スキッドの下側の少なくとも一部と摩擦的に係合するように構成された面１２５を有し得る。一つの態様において、この面１２５の少なくとも一部は粗面加工されてよいか、又はスキッドと摩擦的に係合するように適合された歯状の突起を有してよい。一つの態様において、図１に示されるように、内部スロットは実質的に水平である。
【００１０】
別の実施形態において、図６に示されるように、本発明は、下方に突出する部材２１０を少なくとも一つ有する荷物を運搬するための回転式ブラケットアセンブリである。下方に突出する部材は、脚、単なる支持ボード、あるいは運搬されるべき荷物のいかなる下方に突出する部分であってよい。この態様において、ブラケットアセンブリ１０は基部アセンブリ１００を備えており、基部アセンブリ１００は底面１１０を有している。この態様では、ブラケットアセンブリ１０はまた、Ｌ字形状の第１顎部材１５０とＬ字形状の第２顎部材１５２とを備えている。これらの顎部材は各々、薄長の本体部１５５と、脚部１５７とを備えている。第１顎部材と第２顎部材は各々、第１顎部材の旋回軸Ｐ１と第２顎部材の旋回軸Ｐ２とが実質的に平行になるように、基部の少なくとも一部に旋回可能に取り付けられている。例えば、これらの顎部材がピン１６０によって旋回中心において固定されている場合は、二つの顎部材のピン１６０は実質的に平行になるであろう。第１顎部材の脚部１５７は第２顎部材の脚部１５７と実質的に対向し、これらの顎部材の旋回軸は所定距離Ｊを置いて離間されている。距離Ｊは、使用時に、顎部材が互いに対して内向きに旋回して、荷物の下向きに突出する部材２１０の一部と摩擦的に係合するように設定される。
【００１１】
追加の実施形態において、図８及び図９に示されるように、回転式ブラケットアセンブリは、少なくとも一つの下向きに突出する部材２１０を有する荷物を運搬するように適合されている。この態様において、ブラケットアセンブリ１０は、上面１７０と、底面１１０と、第１側方部材１８０とを有する基部アセンブリ１００を備えている。第１側方部材１８０は、上面１７０から上向きに離れるよう且つ上面１７０と実質的に直角に延在している。この態様において、ブラケットアセンブリ１０はまた、基部アセンブリに連結され且つ第１側方部材１８０に実質的に平行に位置付けられた第２側方部材１８２を備えている。この場合、第１及び第２側方部材は荷物の下向きに突出する部材と係合するように適合されている。
【００１２】
別の態様において、第２側方部材１８２は、第２側方部材１８２が基部の上面１７０に沿って第１側方部材１８０に対してスライド可能に可動となるように、基部の一部とスライド可能に接続されている。図８及び図９に示されるように、二つの側方部材間の距離Ｓは、運搬される荷物に応じて変更される。
【００１３】
さらに別の態様において、第２側方部材１８２は基部に固定可能であり、それによって第２側方部材１８２は第１側方部材１８０に対して固定される。当業者によって理解されるように、このような固定可能な関係は、いかなる従来の方法によっても達成出来る。例えば、図８及び図９を参照して、基部はネジ山が形成されたロッド１９０を備え得、そして第２側方部材はロッド１９０に相補して係合する係合機構１９５を装備し得るが、これに限定されることを意図するものではない。この例において、係合機構１９５は、ロッドが第１方向に回転すると第１及び第２側方部材間の距離Ｓが短くなるように、ネジ山が形成されたロッド１９０のネジ山と係合するように適合されている。同様に、ロッドが第２方向に回転すると第１及び第２側方部材間の距離Ｓが長くなるであろう。さらに、係合機構は、ネジ山が形成されたロッドを完全にリリースするように荷重がかけられたスプリングにし得る。
【００１４】
上述された実施形態の各々において、回転式ブラケットアセンブリはまた、基部アセンブリ１００の少なくとも一部に取り付けられた車輪アセンブリ４００を備え得る。車輪アセンブリ４００は、少なくともその一部が基部アセンブリの底面１１０によって規定される面の下方で延在するように取り付けられている。一つの態様において、車輪アセンブリは基部アセンブリ１００の底面１１０の少なくとも一部に取り付けられている。別の態様において、車輪アセンブリは基部アセンブリ１００の底面１１０の少なくとも一部に旋回可能に取り付けられている。この場合、一般的な運搬用車輪（キャスターホイール）を使用し得る。さらに別の態様において、車輪アセンブリ４００は基部アセンブリの一部にリリース可能に接続され得る。図７から分かるように、リリース可能に接続を行うことは、例えば、同心円状の穿孔４１０と、穿孔４１０に相補する円柱状ピン４２０等のいかなる従来のやり方によって達成し得るが、これに限定されない。
【００１５】
本発明のさらに別の態様において、基部アセンブリ１００は、第１基部アセンブリ１０２と、第２基部アセンブリ１０２とを備えている。この態様では、回転式ブラケットアセンブリ１０はさらに、第１端５０２と第２端５０４とを有する細長コネクタ５００を備えている。この態様ではさらに、細長コネクタの第１端５０２は第１基部アセンブリ１０２に接続されており、細長コネクタの第２端５０４は第２基部アセンブリ１０２に接続されている。細長コネクタ５００によって、回転式ブラケットアセンブリが荷物に取り付けられる時に、回転式ブラケットアセンブリを安定させることが出来る。
【００１６】
本発明の別の態様において、細長コネクタ５００は第１細長部５１０と第２細長部５１２とを備える。この態様において、第１細長部５１０の基部に近い端（近接端）は第１基部アセンブリ１０２に接続されており、第２細長部５１２の近接端は第２基部アセンブリ１０２に接続されている。使用時には、第一細長部５１０は第２細長部５１２と実質的に同軸状であり、第１及び第２細長部の基部から遠い端（遠位端）は、実質的に重なり合うように位置付けられている。このようにすれば、細長コネクタ全体の長さを、運搬されるべき荷物の様々な幅に対応するために可変とすることが出来る。
【００１７】
当業者によって理解されるように、細長コネクタ５００の長さを変えるためには多くの方法が存在する。例えば、一つの態様において、第１細長部５１０は管状のスリーブ部材５２０を備え、第２細長部５１２はロッド部材５３０を備える。ロッド部材５３０のサイズは、管状のスリーブ部材５２０の遠位端に対して相補的且つスライド可能に係合するように設定されている。しかしながら、いかなる相補のための配置構成でも十分であろう。
【００１８】
さらに別の態様において、回転式ブラケットアセンブリの第１細長部は第２細長部の一部に固定されている。固定の仕方は永久的なものであってもよいし、又は第１細長部は第２細長部の一部にリリース可能に固定されてもよい。一例として、二つの細長部には複数の穿孔５４０が形成されてよく、穿孔が同心円状である場合にそれぞれの細長部の穿孔５４０に挿入されるためにサイズが付けられ及び形状が付けられたピン５５０とを有し得るが、これらに限定されることを意図するものではない。別の例として、細長部が管状のスリーブ部材とロッド部材とを備える場合に、スリーブ部材には複数の穿孔が形成されてよく、複数の穿孔は、穿孔に少なくとも一つの位置決めネジ５６０が挿入されるときに位置決めネジ５６０がスリーブ内でロッドと摩擦的に係合するように、サイズ及び形状が付けられてよい。他の例において、固定するための手段はいかなる通常の手段、例えば、留め具、締め具、ボルトとナット、ピン、鋲、ネジ等を含み得る。
【００１９】
本発明のいくつかの実施形態を本文にて説明したが、本発明に関連する当業者は、前述の記載及び関連する図面において提示された教示の恩恵があるので、本発明の多くの変形及びその他の実施形態を思いつくであろうことを理解するであろう。それゆえに、本発明は本文に記載された具体的な実施形態に限定されないこと、並びに多くの変形例及び他の実施形態が添付された請求項の範囲内において含まれるように意図されていることが理解されるであろう。さらに、具体的な用語を本文及び添付の請求項の範囲においても使用したが、これらの用語は包括的且つ記述的な意味においてのみ使用されており、記載された発明と添付された請求項の範囲を限定する目的で使用されてはいない。
【図面の簡単な説明】
【００２０】
【図１】図１は、本発明に従う一つの実施形態の回転式ブラケットアセンブリの底面斜視図であり、基部の２組を示し、それぞれの組が細長コネクタに接続されている状態を示す。
【図２】図２は、本発明に従う回転式ブラケットアセンブリの底面斜視図であり、第１細長部が第２細長部にリリース可能に固定されている細長コネクタを示す。
【図３】図３は、本発明に従う回転式ブラケットアセンブリの固定機構の、図２の３−３線側断面図である。
【図４】図４は、本発明に従う回転式ブラケットアセンブリの底面分解斜視図であり、基部アセンブリと車輪アセンブリとを示す。
【図５】図５は、本発明の回転式ブラケットアセンブリの基材の一部の、図４の５−５線側断面図である。
【図６】図６は、本発明の回転式ブラケットアセンブリの斜視図であり、Ｌ字形状の第１顎部材とＬ字形状の第２顎部材とを有する基部アセンブリを示す。
【図７】図７は、本発明の回転式ブラケットアセンブリの分解斜視図であり、間隔をおいて配置された二つの隔離した脚部を有する基部アセンブリを示す。
【図８】図８は、本発明の回転式ブラケットアセンブリの分解斜視図であり、上面と、底面と、二つの側方部材とを有する基部アセンブリを示す。
【図９】図９は、図８の回転式ブラケットアセンブリの分解斜視図であり、第２側方部材が基部アセンブリの上面にスライド可能に係合している状態を示す。
【図１】
2009502631.tif 000003
【図２】
2009502631.tif 000004
【図３】
2009502631.tif 000005
【図４】
2009502631.tif 000006
【図５】
2009502631.tif 000007
【図６】
2009502631.tif 000008
【図７】
2009502631.tif 000009
【図８】
2009502631.tif 000010
【図９】
2009502631.tif 000011
【国際調査報告】
2009502631.tif 000012
2009502631.tif 000013
2009502631.tif 000014